(57)【特許請求の範囲】
【請求項１】
地下に埋設された貯留槽に雨水等を貯留及び／又は該貯留槽を介して雨水等を土中に浸  透させる雨水貯留浸透施設において、
前記貯留槽が、第１貯留部と第２貯留部とから構成され、前記第１貯留部は、この第１貯留部の上面が受ける鉛直荷重に対して強度が強い樹脂製部材で形成され、前記第２貯留部は、この第２貯留部の側面が受ける水平荷重に対して強度が強いコンクリート製部材で形成され、前記第２貯留部の上面に第１貯留部が配置されており、
前記第１貯留部に、この第１貯留部に導かれた雨水中に含まれる夾雑物を集める夾雑物収集手段が設けられたことを特徴とする雨水貯留浸透施設。
【請求項２】
請求項１に記載の雨水貯留浸透施設において、
前記夾雑物収集手段により夾雑物が集められる部分、及びこの部分に対応する第２貯留部に、第１貯留部と第２貯留部とを連通する連通手段が設けられたことを特徴とする雨水貯留浸透施設。
【発明の詳細な説明】
【技術分野】
【０００１】
本発明は、地下に埋設された貯留槽に雨水等を貯留及び／又は該貯留槽を介して雨水等を土中に浸透させる雨水貯留浸透施設に関する。
【背景技術】
【０００２】
従来から、貯留槽内部に複数の樹脂製の充填部材が上下左右に連設して配置された樹脂製の雨水貯留浸透施設が知られている。このような樹脂製の雨水貯留浸透施設は、貯留効率が良く、施工性に優れていることから、広く用いられている。
【０００３】
しかしながら、この樹脂製の雨水貯留浸透施設では、水平荷重に対する強度が不足するために、地表から４ｍ程度の深さまでしか雨水貯留浸透施設を埋設することができなかった。
【０００４】
また、従来から、プレキャストコンクリートブロック等で形成されたコンクリート製の雨水貯留浸透施設も広く用いられており、このようなコンクリート製の雨水貯留浸透施設では、水平荷重に対する強度を充分に確保することができるので、地表から１０ｍ程度の深さにまで深埋設することが可能である。しかし、コンクリート製の雨水貯留浸透施設を深埋設に対応させる場合、コンクリート部材が肉厚となるために、貯留効率が低下するという問題が生じていた。
【０００５】
以上のようなことから、貯留槽の深埋設が可能で、かつ、貯留効率がよく、施工性に優れている雨水貯留浸透施設を実現することは極めて困難であった。
【０００６】
一方、内部に清掃作業員が入ることができる程度の大きさの土台枠上に貯水空間が設けられた雨水貯留浸透施設が提案されている（例えば、特許文献１参照。）。
【０００７】
この雨水貯留浸透施設では、水平荷重・鉛直荷重に耐えられるようにするために、補強部材を別途用意し、この補強部材を組み立てて、貯水空間を構築するスペーサーユニットとともに貯水空間内に配設するように構成されている。
【特許文献１】特開２００１−９０１６７号公報
【発明の開示】
【発明が解決しようとする課題】
【０００８】
しかしながら、上記特許文献１に記載された雨水貯留浸透施設では、水平荷重・鉛直荷重に耐えられるようにするために補強部材を用いているので、煩雑な組立て作業が必要となる。また、補強部材により貯水空間の体積が減少するため、貯留効率も低下する。さらに、大きな荷重が作用する底部には、補強部材が用いられていないので、深埋設に対応することができない。加えて、土台枠は、雨水貯留浸透施設のメンテナンスを目的として人が入るためだけに設けられており、水平荷重に対応するために設けられているわけではない。しかも、土台枠は大きな空間を形成しているわけではないので、広範囲にわたるメンテナンスが必要となり、維持管理が困難である。
【０００９】
本発明は、このような事情に鑑み創案されたもので、雨水貯留浸透施設において、貯留槽の深埋設を可能にするとともに、貯留効率を上げることを目的とするものである。
【課題を解決するための手段】
【００１０】
上記の目的を達成するため本発明は、地下に埋設された貯留槽に雨水等を貯留及び又は該貯留槽を介して雨水等を土中に浸透させる雨水貯留浸透施設において、前記貯留槽が、第１貯留部と第２貯留部とから構成され、前記第１貯留部は、この第１貯留部の上面が受ける鉛直荷重に対して強度が強い樹脂製部材で形成され、前記第２貯留部は、この第２貯留部の側面が受ける水平荷重に対して強度が強いコンクリート製部材で形成され、前記第２貯留部の上面に第１貯留部が配置されており、前記第１貯留部に、この第１貯留部に導かれた雨水中に含まれる夾雑物を集める夾雑物収集手段が設けられたことを特徴とする。
【００１１】
この発明によれば、貯留槽の上面が受ける鉛直荷重と貯留槽の側面が受ける水平荷重を第１貯留部と第２貯留部で分担させることができるので、第１貯留部に対しては鉛直荷重に対する強度を確保することに重点をおいて強度設計を行えば足り、第２貯留部に対しては、水平荷重に対する強度を確保することに重点をおいて強度設計を行えば足りる。
【００１２】
したがって、第１貯留部について、水平荷重に対する強度をほとんど考慮することなく、貯留効率を上げるように設計することが可能になる。一方、第２貯留部について、水平荷重に対する強度を充分確保して深埋設に対応可能となるように設計することが可能になる。
【００１３】
このように第１貯留部と第２貯留部を個別に設計することができるので、貯留槽の深埋設が可能になるとともに、貯留効率を上げることができる。
【００１４】
また、上記のように第１貯留部と第２貯留部を設計することにより、補強部材を用いることなく貯留槽の深埋設が可能になるので、補強部材による貯留効率の低下を防止できるとともに、施工が簡単で工期を短縮することができ、コストを低減することができる。
【００１５】
なお、ここで鉛直荷重は、貯留槽の上部の土被りによる鉛直方向の土圧や車輌等の上載荷重であり、水平荷重は、貯留槽の側面に作用する水平方向の土圧（側土圧）である。
【００１６】
本発明は、上記した雨水貯留浸透施設において、前記第２貯留部の上面に第１貯留部が配置されたことを特徴とする。
【００１７】
この発明によれば、第１貯留部が貯留槽の上部に位置しているので、浅埋設に対応するだけの水平土圧を考慮すれば足りるため、第１貯留部に対して水平荷重に対する強度をほとんど考慮することなく、貯留効率を上げるように設計することが可能になる。一方、第２貯留部が貯留槽の下部に位置しているので、第２貯留部の水平荷重に対する強度を、地表からの埋設深さが深くなっても対応できるように設計することにより、貯留槽の深埋設を実現させることが容易になる。
【００１８】
このように第１貯留部と第２貯留部を個別に設計することができるので、貯留槽の深埋設が可能になるとともに、貯留効率を上げることができる。
【００２２】
本発明は、上記した雨水貯留浸透施設において、前記第１貯留部が樹脂製部材で形成されたことを特徴とする。
【００２３】
この発明によれば、第１貯留部が軽量で施工性に優れた樹脂製部材で形成されているので、貯留効率を上げることができ、施工性も向上させることができる。
【００２４】
また、第２貯留部の上面に第１貯留部を配置した場合にあっては、第１貯留部が軽量なので、第２貯留部に作用する上載荷重を軽減することができる。したがって、第２貯留部に対して、深埋設に対応させるとともに、例えば上載荷重を負担する部材の厚さを低減するような方法によって貯留効率を上げるように設計することも可能になる。
【００２７】
本発明は、上記した雨水貯留浸透施設において、前記第２貯留部がコンクリート製部材で形成されたことを特徴とする。
【００２８】
この発明によれば、第２貯留部が水平荷重に対して強度の強いコンクリート製部材で形成されているので、第２貯留部を地表から相当な深さにまで埋設することに対応できる。したがって、貯留効率を確保しながら、貯留槽の深埋設が可能になる。
【００２９】
本発明は、上記した雨水貯留浸透施設において、前記第１貯留部に、この第１貯留部に導かれた雨水中に含まれる夾雑物を集める夾雑物収集手段が設けられたことを特徴とする。
【００３０】
この発明によれば、夾雑物収集手段が設けられているので、雨水中の夾雑物を特定箇所に集めることができ、集められた夾雑物を簡単に除去することができる。したがって、雨水貯留浸透施設の維持管理を容易に行うことができる。
【００３１】
この場合において、夾雑物収集手段としては、雨水中の夾雑物が雨水の流れによって自然に集まる夾雑物集積点を形成するように、傾斜面を有する複数の充填部材を第１貯留部に配置することによってもよく、また、夾雑物が沈降する沈砂槽を設けることによってもよい。さらに、フィルターやスクリーン等を用いることによってもよい。
【００３２】
本発明は、上記した雨水貯留浸透施設において、前記第１貯留部の夾雑物収集手段により夾雑物が集められる部分、及びこの部分に対応する第２貯留部に、第１貯留部と第２貯留部とを連通する連通手段が設けられたことを特徴とする。
【００３３】
この発明によれば、夾雑物収集手段により集められた夾雑物が連通手段を介して第２貯留部に導かれるので、夾雑物を第２貯留部の特定個所に集めることができ、メンテナンス性を向上させることができる。
【発明の効果】
【００３４】
本発明によれば、地下に埋設された貯留槽に雨水等を貯留及び／又は該貯留槽を介して雨水等を土中に浸透させる雨水貯留浸透施設において、貯留槽の深埋設を可能にするとともに、貯留効率を上げることが可能になる。
【発明を実施するための最良の形態】
【００３５】
＜第１実施形態＞
以下、本発明の一実施形態について、図面を参照して説明する。
【００３６】
図１には、本発明の第１実施形態に係る雨水貯留浸透施設の概略構成が示されている。
【００３７】
この雨水貯留浸透施設は、大雨が降ったときに雨水を一時的に貯留し、河川流量が急激に増大するのを防止する流出抑制効果を有するものである。そして、貯留された雨水等を植木への散水や洗車用水、非常時の生活用水や防火用水として利用することもできるものであり、図１に示すように、第１貯留部１Ａと第２貯留部１Ｂが上下２層となるように配置された貯留槽１を備えたものである。
【００３８】
貯留槽１は、地面を平面形状が矩形状に掘下げて造成された掘削部内に設けられ、この掘削部の底面は割栗石等を敷き詰めて突き固めて形成された基礎部とされている。貯留槽１の底面は、基本的には平坦面となっており、この底面に第２貯留部１Ｂが配置され、第２貯留部１Ｂの上面に第１貯留部１Ａが配置されている。
【００３９】
貯留槽１の上部には、周辺に降った雨水等を集める側溝等から雨水等を導く導水管（図示省略）や貯留槽１が満水になった場合に雨水を放流させるためのオーバーフロー管（図示省略）が接続されており、貯留槽１の下部には、貯留槽１に貯められた雨水を徐々に流出させるオリフィス管（図示省略）が設けられている。
【００４０】
第１貯留部１Ａには、雨水等を重力及び／又は雨水流により所望の方向に誘導する誘導手段を備えた多数の充填部材３が水平に並べられるとともに、上下に重ねられて設置されている。
【００４１】
また、第１貯留部１Ａの周囲は、防水シート（図示省略）で被覆されており、第１貯留部１Ａの内部空間に雨水を貯留できるように図られている。なお、雨水浸透施設の場合は、防水シートの代わりに透水シートが用いられる。
【００４２】
充填部材３は、例えば図３に示すように、ポリエチレン、ポリプロピレン、塩化ビニル、ポリエチレンテレフタレート等のプラスチックや、これらの廃プラスチック等から形成され、貯留槽１の空間を確保する４本の柱状の連結部３１と、４本の連結部３１に固定され水平面に対して５度程度の角度で傾斜する傾斜板部３２とから構成されている。
【００４３】
なお、充填部材３は、連結部３１の上部に連結部材３１０を挟んで積み上げるようにしてもよい。
【００４４】
そして、充填部材３は、例えば、傾斜板部３２により誘導された雨水が、水流を生じさせて、徐々に傾斜板部３２の隙間から落下するように配置されている。このように充填部材３が配置されていることから、土砂等の夾雑物を含む雨水は、集積部１０の方向に誘導されて落下し、夾雑物が集積部１０に自然に集められる。
【００４５】
第２貯留部１Ｂは、例えば図４に示すように、プレキャストコンクリート製の梁部材４１、柱部材４２、壁部材４３、頂版部材４４、底版部材４５、柱台部材４６を複数個組み合わせて貯留空間を形成するように配置したコンクリートブロック槽４で構成されている。
【００４６】
また、第２貯留部１Ｂには、メンテナンスのための管理人孔（図示省略）が設けられている。
【００４７】
さらに、図５（ａ）に示すように、上記した第１貯留部１Ａの集積部１０に対応する第２貯留部１Ｂの上面には、凹部１００が設けられており、第１貯留部１Ａの充填部材３により誘導された雨水は凹部１００の方向に導かれ、夾雑物が凹部１００に集められる。そして、第１貯留部１Ａと第２貯留部１Ｂが連通するように、凹部１００に開口部１１が設けられている。この場合において、開口部１１に対応する第１貯留部１Ａの集積部１０の防水シートが開口されている。
【００４８】
したがって、第１貯留部１Ａから開口部１１を介して第２貯留部１Ｂに雨水が流入するとともに、集積部１０に集められた夾雑物が開口部１１を介して第２貯留部１Ｂの特定箇所に排出される。
【００４９】
以上のように構成されているので、夾雑物を雨水貯留浸透施設外に排出する作業が簡単で、維持管理が容易になる。例えば、堆積した夾雑物を１年に１回から２回程度排出すれば、第２貯留部１Ｂの下部を広範囲にわたってメンテナンスする頻度は、１０年に１回程度に低減することができる。
【００５０】
また、第１貯留部１Ａから開口部１１を介して第２貯留部１Ｂに流入された雨水は、第２貯留部１Ｂに貯留されるので、第２貯留部１Ｂと第１貯留部１Ａの双方によって雨水を貯留することができる。しかも、深埋設が可能になったことにより第２貯留部の体積を増加させることもできるため、さらに貯留効率を上げることが可能になる。
【００５１】
なお、上記したように、第２貯留部１Ｂの上面に凹部１００を設けることに代えて、例えば図５（ｂ）に示すように、第１貯留部１Ａの集積部１０にＵ字溝１０１を設けて、第２貯留部１Ｂの上面に配置するようにしてもよい。この場合、第２貯留部１Ｂのコンクリート部材に凹部１００を形成する必要がなくなるので、コンクリート部材を加工する工程が省略でき、コストを低減することができる。
【００５２】
また、第２貯留部１Ｂを構成するのは、上記したコンクリートブロック槽に限定されるものではなく、例えばボックスカルバートを複数個並設したもので構成してもよい。この場合、施工が簡単で工期をさらに短縮することが可能になる。
【００５３】
本実施形態において、貯留槽１の埋設深さに伴って増大する側土圧に対応して、第１貯留部１Ａの高さと第２貯留部１Ｂの高さの割合を適宜選択することができる。
【００５４】
例えば、図１に示すように、土盛の深さＬ１が０．６ｍのとき、第１貯留部１Ａの高さＬ２は、樹脂製部材で対応可能な３．４ｍとされ、第２貯留部１Ｂの高さＬ３は、０．５ｍとされている。その結果、地表面から４．５ｍの深さにまで雨水貯留浸透施設を埋設することが可能になっている。
【００５５】
一方、図２に示す例では、土盛の深さＬ１が２．０ｍのとき、第１貯留部１Ａの高さＬ２は、樹脂製部材で対応可能な１．０ｍとされ、第２貯留部１Ｂの高さＬ３は７．０ｍとされている。その結果、地表面から１０ｍの深さにまで雨水貯留浸透施設を埋設することが可能になっている。
【００５６】
このように本実施形態では、第１貯留部１Ａが軽量で施工性に優れた樹脂製部材で形成されているので、第２貯留部１Ｂに作用する上載荷重を軽減することができる。したがって、第２貯留部１Ｂを構成するコンクリート部材の部材厚を低減することができ、貯留効率を上げることが可能になる。
【００５７】
また、第１貯留部１Ａが樹脂製部材で形成されているため、貯留槽１全体をコンクリート部材で形成する場合と比べて貯留槽１が軽量になることから、地盤の支持力が低減できるので、適用可能な地盤の範囲が広くなり、場合によっては地盤改良が不要になる。また、地盤に対する荷重が低減できるため、不同沈下の可能性が低減できる。
【００５８】
さらにまた、貯留槽１をプレキャストコンクリート製品及び樹脂製品で構築できるので、施工性が向上し、工期を大幅に短縮することができる。
＜参考例＞
次に、本発明の参考例について、図面を参照して説明する。
【００５９】
図６には、本発明の参考例に係る雨水貯留浸透施設の概略構成が示されている。
【００６０】
この雨水貯留浸透施設は、第１貯留部１Ａが第２貯留部１Ｂで囲まれるように構成された点に特徴を有している。
【００６１】
なお、基本的な構成は上記の雨水貯留浸透施設と同様であるので、同一構成のものについては、同じ符号を付し、詳細な説明を省略する。
【００６２】
貯留槽１の上部には、周辺に降った雨水等を集める側溝等から雨水等を導く導水管２が第１貯留部１Ａと第２貯留部１Ｂとを貫通するように設けられており、（図７参照）雨水は、まず第１貯留部１Ａに導かれるようになされている。
【００６３】
第１貯留部１Ａには、充填部材３により雨水が導かれる集積部１０に対応するように凹窪部１０２が形成されている。したがって、第１貯留部１Ａに導かれた雨水中に含まれる夾雑物は、凹窪部１０２に集められるので、夾雑物を雨水貯留浸透施設外に排出する作業が簡単で、雨水貯留浸透施設の維持管理が容易になる。
【００６４】
なお、凹窪部１０２と地面とは、メンテナンスのための連通孔（図示省略）を介して連通がされている。
【００６５】
また、第１貯留部１Ａと第２貯留部１Ｂの境界面の所定箇所には、第１貯留部１Ａと第２貯留部１Ｂを連通する流入部１２が設けられており、流入部１２を介して第１貯留部１Ａから第２貯留部１Ｂに雨水が流入可能になっている。したがって、第１貯留部１Ａ内に貯留された雨水が所定水量となると、第２貯留部１Ｂに流入され、第１貯留部１Ａ及び第２貯留部１Ｂの双方で雨水を貯留することにより、貯留効率を向上させることができる。
【００６６】
この場合において、雨水は第１貯留部１Ａに最初に導かれるので、雨水に含まれる夾雑物は、凹窪部１０２に集められるため、第２貯留部１Ｂに流入する雨水中には夾雑物が含まれず、第２貯留部１Ｂの底面に夾雑物が堆積することもなく、メンテナンス性がよい。
【００６７】
なお、流入部１２は、第１貯留部１Ａと第２貯留部１Ｂの境界面の少なくとも１個所に設けられていればよい。
【００６８】
本参考例において、第１貯留部１Ａが第２貯留部１Ｂで囲まれているので、第１貯留部１Ａの底面にのみ防水シート（浸透施設の場合は、透水シート）を設ければよい。したがって、シートに要するコストを低減することができる。
【００６９】
このように、本参考例では、第１貯留部１Ａが第２貯留部１Ｂで囲まれているので、内側の第１貯留部１Ａに対して水平荷重に対する強度を考慮することなく充填部材３を積み重ねることができる。また、地震などによる地盤変動が生じた場合であっても、第１貯留部１Ａの充填部材３が崩れるおそれがない。
【００７０】
また、第２貯留部１Ｂがコンクリート部材で形成されていることから相当の重量が確保されるため、樹脂製部材のみで貯留槽１を構成する場合と比べて、浮力によって生じる浮き上がりに対する抵抗性を高めることができる。
【００７１】
以上、本発明の実施の形態について、一例としての実施例について説明したが、上述した実施例に限られるものではない。
【産業上の利用可能性】
【００７２】
本発明は、地下に埋設された貯留槽に雨水等を貯留及び／又は該貯留槽を介して雨水等を土中に浸透させる雨水貯留浸透施設において、貯留槽の深埋設を可能にするとともに、貯留効率を上げることが可能な雨水貯留浸透施設に適用できる。
【図面の簡単な説明】
【００７３】
【図１】本発明に係る雨水貯留浸透施設の一実施形態の断面を模式的に示す概略図である。
【図２】本発明に係る雨水貯留浸透施設の一実施形態の断面を模式的に示す概略図である。
【図３】本発明の充填部材の一例を示す斜視図である。
【図４】本発明に係る雨水貯留浸透施設の第２貯留部を構成するコンクリート部材の概略を模式的に示す側面図である。
【図５】本発明に係る雨水貯留浸透施設の一実施形態の連通手段の概略を模式的に示す斜視図である。
【図６】本発明の参考例に係る雨水貯留浸透施設の断面を模式的に示す概略図である。
【図７】図６に示す雨水貯留浸透施設の概略を模式的に示す平面図である。
【符号の説明】
【００７４】
１  貯留槽
１Ａ  第１貯留部
１Ｂ  第２貯留部
１０  集積部
１１  開口部（連通手段）
【図１】
0004759441.tif 000002
【図２】
0004759441.tif 000003
【図３】
0004759441.tif 000004
【図４】
0004759441.tif 000005
【図５】
0004759441.tif 000006
【図６】
0004759441.tif 000007
【図７】
0004759441.tif 000008